(57)【要約】【課題】被乾燥物の変質や臭気発生を抑制するために低温で乾燥する場合においても、被乾燥物を効率よく乾燥し、かつ安定した品質の乾燥物を得ることのできる除湿乾燥機の提供。【解決手段】被乾燥物Ｋを筒状に整形する整形器２１および筒状に整形された被乾燥物Ｋを切り離す切断機２２を有する成形部２と、無端ネット３１１を備え、成形部２から被乾燥物Ｋを受入れて水平方向へ移送する無端ネットコンベア３１、空気の湿度を除去する除湿器３２、除湿器３２で除湿された空気を温水で昇温する加熱器３３および無端ネットコンベア３１１を覆う覆蓋３４、を有する乾燥部３と、を備えた除湿乾燥装置。【選択図】図１
2019027599.tif 000002
【特許請求の範囲】
【請求項１】
被乾燥物を筒状に整形する整形器および
前記筒状に整形された被乾燥物を切離す切断機
を有する成形部と、
無端ネットを備え、前記成形部から被乾燥物を受入れて水平方向へ移送する無端ネットコンベア、
前記無端ネットコンベアを覆う覆蓋、
前記覆蓋内の空気の湿度を除去する除湿器および
前記除湿器で除湿された空気を温水で昇温する加熱器
を有する乾燥部と、
を備えた除湿乾燥装置。
【請求項２】
前記整形器は、
受入口と、該受入口より大径の送出口を有する筒状の外胴と、
前記外胴の内部に、頂点を前記受入口側に底面を前記送出口側に向けて配設された錐体と、
を備え、
前記切断機は、
前記整形器から押し出された被乾燥物を切離す切断部、および前記切離された被乾燥物を前記整形器から押し出された被乾燥物から剥離させる案内面を備えた一つ以上の切断刃と、
前記切断刃を前記送出口に沿って移動させる駆動装置と、
を備えることを特徴とする請求項１に記載の除湿乾燥装置。
【請求項３】
前記成形部が、
前記成形された被乾燥物を散布する散布機
を備えることを特徴とする請求項１又は２に記載の除湿乾燥装置。
【発明の詳細な説明】
【技術分野】
【０００１】
本発明は、下水処理施設等で発生する活性汚泥を脱水して得られる脱水汚泥等の乾燥に関するものである。
【背景技術】
【０００２】
下水処理施設等で発生する脱水汚泥を資源として再利用することが一般的となっている。再利用先は様々であるが、脱水汚泥を直接利用することはまれであり、再利用先の用途に合わせて水分量の調整が行われている。
【０００３】
水分量の調整は脱水汚泥中の水を蒸発させる（脱水汚泥を乾燥させる）ことが一般的に行なわれている。この場合、脱水汚泥の水分が気体側に移動し易くなるように脱水汚泥側の温度、気体側（多くは空気）の温度、湿度および気圧を操作することが一般的に行われている。
【０００４】
機械による乾燥方式には、直接加熱乾燥と間接加熱乾燥がある。
直接加熱乾燥とは、脱水汚泥が加熱媒体と直接接して伝熱される乾燥方式であり、加熱媒体として脱水汚泥よりも温度の高い乾燥した熱風や加熱水蒸気などがあげられる。
間接加熱乾燥とは、脱水汚泥が伝熱体の伝熱面と接することで加熱媒体から間接的に伝熱される乾燥方式であり、伝熱体として金属板など、耐熱性および熱伝導性の高いものがあげられる。また加熱媒体としては蒸気を用いるのが一般的である。
何れの乾燥方式においても、乾燥効率を上げるため撹拌によって加熱媒体や伝熱面との接触機会を増やしたり、乾燥前の脱水汚泥を成形して単位重量当たりの表面積を増やしたりする。
【０００５】
ここで脱水汚泥中の水を早く蒸発させ得るため温度を高温に上昇させた場合、脱水汚泥中に含まれる臭気成分が気体側に移動して異臭が生じたり、気体側に移動した水分に吸収されて分離した水分に異臭が生じたりする。
従来の直接加熱方式による乾燥技術は、高温（100℃以上）の熱風を用いて汚泥を乾燥していた。そのため、硫化水素、アンモニアなどの臭気成分を含む乾燥排ガスは、例えば800℃程度で数秒滞留させ、高温熱分解により脱臭されていた。
しかし、この方式の場合、与えた熱量のうち汚泥乾燥に使われる熱量（蒸発水分量×水の潜熱）の割合が低く乾燥エネルギー効率が低い。もしくは、乾燥に必要な水分の蒸発潜熱に加えて、脱臭に要する多くの熱量を顕熱として与える必要があり、乾燥エネルギー効率が低い。
【０００６】
臭気成分の脱水汚泥側から外部への移動を抑えるために低温で脱水汚泥を乾燥する技術がある。この場合、水分の蒸発が遅くなり乾燥時間が長くなるため、大量の脱水汚泥を処理するには装置の大型化か複数台の設置が必要となる。
【０００７】
低温であっても脱水汚泥の乾燥時間を短縮する方策として、脱水汚泥の単位重量当たりの表面積（比表面積）を増やして乾燥効率を高めることは有用である。再利用目的の場合、乾燥品の水分量は一定の範囲である事が求められるため、粘性の高い脱水汚泥を均一に成形する成形機が必要となる。
【０００８】
この様な脱水汚泥の乾燥に伴う課題について、乾燥に用いる空気を、乾燥直後の汚泥の温度より５℃低い温度以下に冷却・除湿する冷却工程と、前記冷却工程により冷却された空気を４０℃以上に加熱して乾燥用空気とする加熱工程と、この乾燥用空気と乾燥する汚泥とを直接接触させて、乾燥直後の汚泥の温度が２５℃〜６０℃になる範囲で、前記汚泥の乾燥を行うための乾燥工程と、を有し、前記乾燥工程により温度が低下し増湿した空気を前記冷却工程で冷却・除湿することにより、加熱媒体を循環使用し汚泥を乾燥させる技術が提案されている（特許文献１）。比較的低温で汚泥を乾燥させることによって、悪臭を放つガスの発生を低減するものである。
【０００９】
また、脱水汚泥の粘性に影響されにくく、汚泥の付着問題もなく、さらには圧縮ローラーで生じる異物の噛み込みという問題もないとされる脱水汚泥成形器が提案されている（特許文献２）。
【００１０】
さらに、大きな処理能力を確保して効率よく低コストで乾燥処理でき、保全に要する手間と時間を低減できる汚泥の乾燥処理装置が提案されている（特許文献３）。
【先行技術文献】
【特許文献】
【００１１】
【特許文献１】特開２００１−７０９９５号公報
【特許文献２】特開２０１２−１７９５９１号公報
【特許文献３】特開２００７−１０５５６５号公報
【発明の概要】
【発明が解決しようとする課題】
【００１２】
本願発明者らは、本願発明に想到するに際して、少なくとも以下に記載する課題を認識していた。
特許文献１による汚泥の乾燥方法は、乾燥直後の汚泥の温度が２５℃〜６０℃になる範囲と比較的低温で行うため、乾燥時間が長くなる。また、乾燥する汚泥を成形して均一化するなどして乾燥品質を安定させるための方策が必要であり、設備が大型化する、汚泥成形品質の安定化が必須となる、という課題があった。
【００１３】
特許文献２による脱水汚泥成形器を低温乾燥に用いる場合、脱水汚泥を低温乾燥に適した小径に成形するため多孔板の孔の数を増加させる必要があり、これによって多孔板の幅が拡がる事となり、それに合わせてコンベアの幅も広げなければならなくなるという課題があった。
逆にコンベアに合わせて孔の径を決定した場合、紐状の脱水汚泥は大径となり、これを低温乾燥するためには乾燥時間を延ばす必要があり装置が大型化するという課題があった。
多孔板の幅が拡がることを抑止するために、例えば多孔板の孔をジョウロのように配設した場合や、コンベアの移送方向に向かって２段、３段に配設した場合、あるいはコンベアの幅に出口を狭めたシュートでコンベアに敷設されるようにした場合の何れにおいても、紐状の脱水汚泥はコンベア上で積み重なって配置されてしまい、加熱媒体との接触機会が不均一となり、部分的な乾燥効率の低下が生じ、これを補うため加熱媒体の循環量を増やしたり、乾燥時間を延ばしたりして脱水汚泥との接触機会を増やすなどの方策が必要となるという課題があった。この方策のため、動力の増加が生じたり装置の大型化が必要となるという課題があった。 
また、孔の数が増えれば、紐状に脱水汚泥を押し出す孔に異物が絡まったり詰まったりして閉塞を起こす頻度を増大させてしまい、清掃の頻度や時間が増大し乾燥処理量が低下するという課題があった。
【００１４】
引用文献３による汚泥の乾燥処理装置及び乾燥処理方法は、含水汚泥を加熱ドラムの表面に付着させ、含水率が低下した汚泥をスクレーパによって加熱ドラム表面から掻き落とすように設定されており、加熱ドラム表面に接している含水汚泥は高温にさらされることから、熱による汚泥の部分的な変質および臭気の発生を抑えることができないという課題があった。
【００１５】
本発明は、上述のような課題を解決するためになされたもので、汚泥の変質や臭気発生を抑制するために低温で乾燥する場合においても、汚泥を効率よく乾燥し、かつ安定した品質の乾燥物を得ることのできる除湿乾燥機を提供することを目的とするものである。
【課題を解決するための手段】
【００１６】
（構成１）
被乾燥物を筒状に整形する整形器および前記筒状に整形された被乾燥物を切離す切断機を有する成形部と、無端ネットを備え、前記成形部から被乾燥物を受入れて水平方向へ移送する無端ネットコンベア、空気の湿度を除去する除湿器、前記除湿器で除湿された空気を温水で昇温する加熱器および前記無端ネットコンベアを覆う覆蓋、を有する乾燥部と、を備えた除湿乾燥装置。
【００１７】
（構成２）
前記整形器は、受入口と、該受入口より大径の送出口を有する筒状の外胴と、前記外胴の内部に、頂点を前記受入口側に底面を前記送出口側に向けて配設された錐体と、を備え、
前記切断機は、前記整形器から押し出された被乾燥物を切離す切断部、および前記切離された被乾燥物を前記整形器から押し出された被乾燥物から剥離させる案内面を備えた一つ以上の切断刃と、前記切断刃を前記送出口に沿って移動させる駆動装置と、を備えることを特徴とする構成１に記載の除湿乾燥装置。
【００１８】
（構成３）
前記成形部が、前記成形された被乾燥物を散布する散布機を備えることを特徴とする構成１又は２に記載の除湿乾燥装置。
【発明の効果】
【００１９】
本発明の除湿乾燥装置によれば、被乾燥物の変質や臭気発生を抑制するために低温で乾燥する場合においても、被乾燥物を効率よく乾燥し、かつ安定した品質の乾燥物を得ることができる。
【図面の簡単な説明】
【００２０】
【図１】本発明に係る実施形態の除湿乾燥装置を示す概略図である。
【図２】実施形態の除湿乾燥装置における成形機を示す概略図である。
【図３】実施形態の除湿乾燥装置における散布機を示す概略図である。
【図４】実施形態の除湿乾燥装置の概略全体構成図である。
【図５】乾燥の基本機構原理を示したものである。
【図６】含水率と乾燥の速度の関係と三期間を示したものである。
【発明を実施するための形態】
【００２１】
以下、本発明の実施態様について、図面を参照しながら具体的に説明する。なお、以下の実施態様は、本発明を具体化する際の一形態であって、本発明をその範囲内に限定するものではない。
【００２２】
図１は、図４に示す本発明に係る実施形態の除湿乾燥装置１を示す部分断面図である。
本実施形態の除湿乾燥装置１は、被乾燥物Ｋを略円筒状に整形する整形器２１および略円筒状に整形された被乾燥物Ｋを切離す切断機２２からなる成形部２と、無端ネット３１１を備え、成形部２から被乾燥物Ｋを受入れて水平方向へ移送する無端ネットコンベア３１、空気の湿度を除去する除湿器３２、除湿器３２で除湿された空気を温水で昇温する加熱器３３並びに、無端ネットコンベア３１、除湿器３２および加熱器３３を覆う覆蓋３４、からなる乾燥部３で構成されている。
【００２３】
まず、被乾燥物Ｋの動きについて説明する。本実施形態によれば、被乾燥物Ｋは成形部２の整形器２１に、例えば圧送ポンプにより供給されて略円筒状に整形される。整形器２１によって略円筒状に整形された被乾燥物Ｋは、切断機２２によって切断され、均一な厚さに成形されて無端ネットコンベア３１に配設された最上段の無端ネット３１１ａの受入側３１１ａｃ上に敷き詰められる。
【００２４】
無端ネット３１１ａの受入側３１１ａｃ上に敷き詰められた被乾燥物Ｋは、無端ネット３１１ａの受渡側３１１ａｆ方向に移送され、無端ネット３１１ｂの受入側３１１ｂｃに敷き詰められる。無端ネット３１１ｂの受入側３１１ｂｃに敷き詰められた被乾燥物Ｋは無端ネット３１１ｂの受渡側３１１ｂｆ方向に移送され、無端ネット３１１ｃの受入側３１１ｃｃに敷き詰められる。無端ネット３１１ｃの受入側３１１ｃｃに敷き詰められた被乾燥物Ｋは無端ネット３１１ｃの受渡側３１１ｃｆ方向に移送され、受渡側３１１ｃｆより落下して排出口３４６より排出されて乾燥物Ｐが得られる。
【００２５】
無端ネット３１１（各無端ネット３１１ａ〜ｃ）は、成形された被乾燥物Ｋが通り抜けない寸法の網からできており、少なくとも１対の円筒状の回転体３１２によって、いわゆるベルトコンベア状で水平に配設されている。少なくとも１つの回転体３１２は、駆動機（図示せず）によって回転し、無端ネット３１１を一定の速度で一方向に移送する。
【００２６】
次に、被乾燥物Ｋの乾燥について説明する。
図５は乾燥の基本機構原理を示したものである。乾燥にはＡ：材料予熱期間、Ｂ：定率乾燥期間およびＣ：減率乾燥期間の三期間がある。Ａ：材料予熱期間は、材料が加熱される期間であり、乾燥は少し進行する。Ｂ：定率乾燥期間は、材料温度が一定のまま、材料に流入する熱量のすべてが水分蒸発に費やされる。この期間は表面に自由水が存在し、蒸発する限り存続する。Ｃ：減率乾燥期間は、水分の蒸発割合が小さくなり、含水率が平衡に達するまでの期間である。
【００２７】
図６は含水率と乾燥の速度の関係と三期間（Ａ：材料予熱期間、Ｂ：定率乾燥期間、Ｃ：減率乾燥期間）を示したものである。材料予熱期間から定率乾燥期間までは乾燥速度が速い状態で保たれている一方、減率乾燥期間では含水率が低下するにしたがって乾燥速度も低下することがわかる。
【００２８】
除湿乾燥装置１において、無端ネット３１１ａ上の被乾燥物Ｋは、循環機３４１ａ，ｂによって循環送風される空気（被乾燥物Ｋを加熱・乾燥させる加熱媒体）と接触する。当該循環送風される空気は、除湿器３２によって除湿され、温水を熱源とする加熱器３３によって加熱され、送風機３３１によって乾燥部３に送り込まれ、乾燥部３内の空気を循環させる循環機３４１ａ，ｂによって循環撹拌されて乾燥部３内で均一に保たれる。
【００２９】
成形部２で成形され、無端ネット３１１ａ上に敷き詰められた直後の被乾燥物Ｋは、品温が低く含水率が高い状態にあり、乾燥部３内の空気との温度差が大きくなっている。被乾燥物Ｋは乾燥部３内の空気と接触することで加熱されるが、厚みが均一に成形された被乾燥物Ｋの温度が均一に加熱され、一定になるまで乾燥はあまり進まない（材料予熱期間）。
【００３０】
この様に材料予熱期間では、被乾燥物Ｋは少なくとも表面が乾燥するまで無端ネット３１１ａ上に留めておくことが望ましい。
【００３１】
品温が一定となり、被乾燥物Ｋに流入する熱がすべて水分蒸発に費やされるようになると、乾燥速度、つまり被乾燥物Ｋから水分が放散する速度が最も早くなる。この際、本実施形態の除湿乾燥装置１では、後に説明するように、成形部２によって被乾燥物Ｋの厚みが均一に成形されており、従って、被乾燥物Ｋの水分蒸発（乾燥）も均一に、効率よく進んでいく。従って、低温乾燥においても、良好な乾燥物Ｐを得ることができる。
なお、乾燥速度は、加熱媒体である空気の温度や流速のコントロールや加熱時間のコントロールの他、被乾燥物Ｋの敷設間隔によってもコントロールすることができる。乾燥速度を高める場合には、被乾燥物Ｋの敷設間隔をより広くするとよい。具体的な条件は、被乾燥物Ｋの状態や、得るべき乾燥物Ｐの条件（目的とする水分量）などに応じて適宜設定される。なお、被乾燥物Ｋの敷設間隔のコントロールは、被乾燥物Ｋの供給量や無端ネットコンベア３１の移送速度等によってコントロールすることができる。
【００３２】
被乾燥物Ｋは、成形部２によって厚みが均一に成形されることにより無端ネット上に平置きで敷き詰めることが容易となり、定率乾燥期間以降、乾燥速度の低下を被乾燥物Ｋの比表面積を広げることで補う必要が無くなり、減率乾燥期間にある状態でも効率よく乾燥されるため、乾燥品質が均一化されるように乾燥時間を長く取る必要がなくなる。乾燥が完了した被乾燥物Ｋは、排出口３４６によって外部に排出される。
【００３３】
次に成形部２による被乾燥物Ｋの成形について説明する。
図２は図４に示す本実施形態の除湿乾燥装置１における成形部２を示す図である。
成形部２は、整形器２１と切断機２２から構成されている。
整形器２１は、受入口２１３と、受入口２１３より大径の送出口２１４を有する筒状の外胴２１１と、外胴２１１の内部に、頂点を受入口２１３側に底面を送出口２１４側に向けて配設された円錐体２１２とを備えている。円錐体２１２の底面は送出口２１４側の外胴２１１の縁と同一面か送出側に突出する様に配設され、かつ円錐体２１２の頂点から底面までの垂線は外胴２１１の送出方向に対して垂直の断面の中心軸と同様になるよう配設されている。
切断機２２は、整形器２１から押し出された被乾燥物を切り離す切断部２２１ａおよび切断部２２１ａによって切り離された被乾燥物を整形器２１から押し出された被乾燥物から剥離させる案内面２２１ｂを備えた切断刃２２１と、切断刃２２１を駆動装置２２２の回転軸２２３に連結する切断刃固定部材２２４と、送出口２１４の中心を軸として回転軸２２３を回転させる駆動装置２２２とを備えている。
なお、本実施形態の除湿乾燥装置１では、円錐体２１２の軸は、回転軸２２３と同軸上に配されており、円錐体２１２は、回転軸２２３に対して回転自在に取り付けられている。円錐体２１２が回転軸２２３に対して回転自在であることにより、運転時に円錐体２１２は停止した状態となるものであるが、円錐体２１２が回転するもの（円錐体２１２が回転軸２２３に固定的に取り付けられるもの）であっても構わない。また、後述のように、被乾燥物Ｋの厚さを調節させるための機構として、円錐体２１２を切断機２２の回転軸２２３の方向に移動させるための機構を備えさせるものであってもよい。
【００３４】
被乾燥物Ｋが受入口２１３から外胴２１１内に圧入されると円錐体２１２の頂点から側面および外胴の内壁部分に挟まれる形で送出口２１４方向に移送される。このように受入口２１３では移送方向に対して垂直の断面が円形で移送された被乾燥物Ｋは、円錐体２１２によって整形器２１内において断面が輪環状となり、徐々にその幅（厚さ）が狭められる。被乾燥物Ｋが送出口２１４より送出されると、その形状は厚さの均一な略円筒状となる。これを輪環状の送出口２１４に沿って切断刃２２１を移動させて切断部２２１ａで切断する。本実施形態では切断刃２２１四枚を円形の切断刃固定部材２２４に９０度間隔で固定し、これを駆動装置２２２の回転軸２２３に連結して回転させることで切断刃２２１を送出口２１４に沿って移動させている。
なお、実施形態では切断刃２２１を４枚設けているが、切断刃２２１の枚数は、送出口２１４の大きさや、被乾燥物Ｋの厚さ（送出口２１４と円錐体２１２の隙間）、被乾燥物Ｋの状態や供給量等に応じて適宜設定すればよい（少なくとも１つ以上備えられればよい）。
【００３５】
切断刃２２１の切断部２２１ａで切断された被乾燥物Ｋは、送出口２１４から連続して押し出されてくる被乾燥物Ｋと接触しないよう配設された案内面２２１ｂに沿って押し出され、厚さの均一な被乾燥物Ｋに成形される。即ち、切断部２２１ａは、被乾燥物Ｋの厚さ（送出口２１４と円錐体２１２の隙間）に対応した寸法の刃部を有しており、案内面２２１ｂは、切断部２２１ａから連続的に湾曲（送出口２１４から離れるように湾曲）するように形成され、これにより、被乾燥物Ｋの剥離が促進され、均一な厚さの被乾燥物Ｋが剥がれ落ちていくものである。
【００３６】
被乾燥物Ｋの厚さは、円錐体２１２を切断機２２の回転軸２２３上を移動させることにより調整することができる。円錐体２１２を切断機２２方向に移動させると、外胴２１１と円錐体２１２との間隔が広くなり、厚みの増した略円筒状の被乾燥物Ｋを得ることができる。逆に円錐体２１２を受入口２１３方向に移動させると、外胴２１１と円錐体２１２との間隔が狭くなり、厚みの減じた略円筒状の被乾燥物Ｋを得ることができる。
【００３７】
次に、成形部２が成形された被乾燥物Ｋを無端ネット３１１ａの幅方向に散布するための、散布機２３について説明する。
図３は図４に示す本実施形態の除湿乾燥装置１における散布機２３を示す図である。
散布機２３は成形部２と被乾燥物Ｋ移送管４を繋ぐ供給管２３０と、供給管２３０に水平方向の動きを伝える連接棒２３１と、連接棒２３１の一端に円運動を伝える卵形カム２３２と、卵形カム２３２を回転させる卵形カム駆動装置２３３から構成されている。
【００３８】
供給管２３０はＬ字型をした管であり、一端は成形部２が取り付けられ、もう一端は回転継手２３４を介して被乾燥物Ｋ移送管４に接続されている。連接棒２３１は一端が水平方向に運動可能な形で供給管２３０に回転可能に取り付けられ、もう一端が水平方向に回転するよう配設された卵形カムの尖端に水平方向に運動可能な形で回転可能に取り付けられている。
【００３９】
成形部２は、連接棒２３１から供給管２３０に伝わる卵形カム２３２の水平方向の円運動によって生じる水平方向の往復運動により、無端ネット３１１ａの短手方向に往復運動する。このため成形した被乾燥物Ｋを無端ネット３１１ａ上に万遍なく散布でき、被乾燥物Ｋを均一な状態で乾燥することができるようになる。散布機２３による散布は、特に無端ネット３１１の幅が広い場合において効果的である。
【００４０】
以上のごとく、本実施形態の除湿乾燥装置１によれば、被乾燥物Ｋを略円筒状に整形する整形器２１および略円筒状に整形された被乾燥物Ｋを切離す切断機２２からなる成形部２と、無端ネット３１１を備え、成形部２から被乾燥物Ｋを受入れて水平方向へ移動する無端ネットコンベア３１、空気の湿度を除去する除湿器３２、除湿器３２で除湿された空気を温水で昇温する加熱器３３、並びに、無端ネットコンベア３１、除湿器３２および加熱器３３を覆う覆蓋３４、からなる乾燥部３と、を備えたことにより、以下のような優れた効果を奏することができる。
整形器２１と切断機２２からなる成形部２によって被乾燥物Ｋを成形することにより、成形された被乾燥物Ｋの厚みが均一となる。また、無端ネットコンベア３１上に重なることなく敷設される。このため温水で昇温された比較的低温な空気による乾燥においても被乾燥物Ｋの乾燥が均一に行なえるようになり、目的とする水分量の乾燥物Ｐが設定した乾燥時間内で安定して得られるようになる。
【００４１】
無端ネットコンベア３１によって被乾燥物Ｋを水平方向へ移送することにより、成形部２で厚みが均一に成形された被乾燥物Ｋに対してかかる外力を低減し、成形された被乾燥物Ｋの解砕が抑えられるようになる。このため、被乾燥物Ｋの解砕に伴い発生する被乾燥物Ｋの小片が乾燥して粉じんとなり、除湿器３２や加熱器３３への付着による効率低下を防止できる。
【００４２】
覆蓋３４によって無端ネットコンベア３１、除湿器３２および加熱器３３を覆うことにより、被乾燥物Ｋを外部から独立した環境下で乾燥することができる。このため乾燥部３内の温度、湿度および空気の流れを任意に制御することができるようになり、被乾燥物Ｋを目的の水分量まで所定の乾燥時間内で乾燥することができる。また、少なからず発生する被乾燥物Ｋからの臭気を外部に拡散することを防止できる。なお、本実施形態では、覆蓋３４によって、無端ネットコンベア３１、除湿器３２および加熱器３３が覆われているものと例としたが、本発明をこれに限るものではなく、それぞれ個別の覆蓋を備えるもの等であってよい（乾燥部を外部から独立した環境下とし得るものであればよい）。
【００４３】
除湿器３２によって乾燥部３内の空気の湿度を除去することにより、湿度の低くなった空気を再度乾燥部３内に供給することができる。このため、乾燥部３内の空気の湿度が低下し、被乾燥物Ｋの水分が乾燥部３内の空気に移動しやすくなり、被乾燥物Ｋの乾燥が進むようになる。また、乾燥部３内の臭気の一部が除湿によって取り除かれるようになる。さらに、乾燥部３内の空気を循環利用することができるようになる事で、臭気を除去する目的で乾燥部３内から引抜く空気の量を任意にすることができるようになる。このため引抜く空気の量を脱臭施設の処理能力に合わせることができる。
【００４４】
除湿器３２によって除湿された空気を、温水を熱源とする加熱器３３で昇温することにより、乾燥に必要な熱量を乾燥部３内に供給することができる。このため、乾燥部３内の空気の温度が安定し、被乾燥物Ｋが加温されて被乾燥物Ｋの水分が乾燥部３内の空気に移動しやすくなり、被乾燥物Ｋの乾燥が進むようになる。
【００４５】
温水を熱源とするため、乾燥部３内の温度は被乾燥物Ｋの臭気成分を揮散させるほど高くならない。このため、脱臭施設への負荷を軽減できると共に腐食等設備の劣化を防止できる。
【００４６】
温水を熱源とするため、発電機、焼却炉や工場などの廃熱のほか、太陽熱温水器などの再生可能エネルギーを、温水を作る熱源として利用することができる。
【００４７】
本実施形態の成形部２によれば、整形器２１を、受入口２１３と、該受入口より大径の送出口２１４を有する外胴２１１と、外胴２１１の内部に、頂点を受入口２１３側に底面を送出口２１４側に向けて配設された円錐体２１２とし、かつ切断機２２を、整形器２１から押し出された被乾燥物Ｋを切離す切断部２２１ａ、および切離された被乾燥物Ｋを整形器２１から押し出された被乾燥物Ｋから回避させる案内面２２１ｂを備えた一つ以上の切断刃２２１と前記切断刃２２１を外胴２１１の送出方向に対して垂直の断面の中心を軸として回転させる駆動装置２２２としたことにより、次のような優れた作用効果を奏する。
外胴２１１と円錐体２１２との隙間が受入口２１３から送出口２１４に向かって徐々に狭まる構成としたため、被乾燥物Ｋが外胴２１１内に滞る領域、いわゆる死領域を生じることが無くなる。このため被乾燥物Ｋや被乾燥物Ｋ中に混入する異物の死領域付近への堆積に起因する整形器２１の閉塞を防ぐことができる。従来の成型器（例えば特許文献２の脱水汚泥形成器）では、仕切り板やこれに設けた穴等によって汚泥（被乾燥物）を成型するものであるため、穴付きの仕切り板等によって生じる死領域により、汚泥の詰まり等が生じ易いものであったが、本実施形態の除湿乾燥装置１によれば、円錐体２１２が中心部に配された外胴２１１によって成形部２が構成され、仕切り板等の詰まりの原因となる箇所が可及的に排除されており、且つ、汚泥（被乾燥物）の整形時に圧力が均等にかかるため、詰まり等の問題が生じることが抑止されるものである。
【００４８】
送出口２１４は外胴２１１の内壁と円錐体２１２の底辺によって輪環状となるため、被乾燥物Ｋを厚みが均一な略円筒状に押し出すことができる。これを切断刃２２１で切り落とすことによって厚みが均一に成形された被乾燥物Ｋを容易に安定して得ることができる。
【００４９】
被乾燥物Kを略円筒状に押し出すことにより、被乾燥物Kを、成形部２で成形した場合の被乾燥物Kの厚みと同様の厚みに成形する直線状のスリットを備えた成形装置の幅と比較して、成形部２の幅は１／３以下となり、成形装置の幅による無端ネットコンベア３１幅の制限を低減することができる。
切断刃２２１に整形器２１から押し出された被乾燥物Ｋを切離す切断部２２１ａ、および切離された被乾燥物Ｋを整形器２１から押し出された被乾燥物Ｋから剥離させる案内面２２１ｂを備えたことによって、切断した被乾燥物Ｋが整形器２１から押し出されてくる被乾燥物Ｋに接触して変形したり、被乾燥物Ｋ同士が付着して変形したり、あるいは無端ネット３１１ａ上で重なったりすることを防ぐことができる。無端ネット３１１ａ以降の無端ネット３１１上でも無端ネット３１１ａ上の被乾燥物Ｋの敷設とほぼ同様となるため厚みが均一に成形された被乾燥物Ｋを安定して無端ネットコンベア３１上に敷設することができる。
【００５０】
成形部２が、成形された被乾燥物Ｋを散布する散布機２３を備えることによって、成形部２の幅が無端ネット３１１ａより狭い場合でも、無端ネット３１１ａ上に被乾燥物Ｋを均一に敷設することができる。このため、幅の広い無端ネット３１１ａの上面を余すことなく乾燥に利用でき、乾燥処理量を最適化することができる。また、無端ネットコンベア３１上の被乾燥物Ｋは均一に乾燥部３内の空気に曝されるようになり、乾燥物Ｐの品質が安定する。
【００５１】
なお、本実施形態では、整形器として、被乾燥物を略円筒状に整形するものを例としたが、本発明をこれに限るものではなく、被乾燥物を筒状に整形するものであればよい。例えば、楕円形状の筒状や、多角形状の筒状に被乾燥物を整形するものなどであっても構わない。それぞれの形状に対応した外胴と、錐体を用いればよいものである。ただし、本実施形態のごとく、略円筒状とするものが、均一な厚みの被乾燥物を得る上では最も効率がよく、好適である。
【００５２】
本願発明に係る除湿乾燥装置は、低温の熱で乾燥が行えるため、例えば食品の加工過程で発生する残渣を対象とし、熱源として製品製造過程で使われた熱の排熱を利用して乾燥・減容化を行うことも可能である。
【符号の説明】
【００５３】
１．．．除湿乾燥装置
２．．．成形部
２１．．．整形器
２１１．．．外胴
２１２．．．円錐体（錐体）
２１３．．．受入口
２１４．．．送出口
２２．．．切断機
２２１．．．切断刃
２２１ａ．．．切断部
２２１ｂ．．．案内面
２２２．．．駆動装置
２３．．．散布機
３．．．乾燥部
３１．．．無端ネットコンベア
３１１．．．無端ネット
３２．．．除湿器
３３．．．加熱器
３４．．．覆蓋
【図１】
2019027599.tif 000003
【図２】
2019027599.tif 000004
【図３】
2019027599.tif 000005
【図４】
2019027599.tif 000006
【図５】
2019027599.tif 000007
【図６】
2019027599.tif 000008
【手続補正書】
【提出日】平成30年3月8日(2018.3.8)
【手続補正１】
【補正対象書類名】特許請求の範囲
【補正対象項目名】全文
【補正方法】変更
【補正の内容】
【特許請求の範囲】
【請求項１】
被乾燥物を筒状に整形する整形器および
前記筒状に整形された被乾燥物を切離す切断機
を有する成形部と、
無端ネットを備え、前記成形部から被乾燥物を受入れて水平方向へ移送する無端ネットコンベア、
前記無端ネットコンベアを覆う覆蓋、
前記覆蓋内の空気の湿度を除去する除湿器および
前記除湿器で除湿された空気を温水で昇温する加熱器
を有する乾燥部と、
を備え、
前記整形器は、
受入口及び送出口と、
筒状の外胴と、
前記外胴の内部に、頂点を前記受入口側に底面を前記送出口側に向けて配設された錐体と、
を備え、
前記切断機は、
前記整形器から押し出された被乾燥物を切離す切断部、および前記切離された被乾燥物を前記整形器から押し出された被乾燥物から剥離させる案内面を備えた一つ以上の切断刃と、
前記切断刃を前記送出口に沿って移動させる駆動装置と、
を備えた除湿乾燥装置。
【請求項２】
前記送出口は、前記受入口より大径である
ことを特徴とする請求項１に記載の除湿乾燥装置。
【請求項３】
前記成形部が、
前記成形された被乾燥物を散布する散布機
を備えることを特徴とする請求項１又は２に記載の除湿乾燥装置。